(57)【特許請求の範囲】
【請求項１】
シリンダー容器とピストン板より構成されるポンプを固定台に２つ並列させ、各ポンプの上に右足と左足を乗せる踏み板を設け、踏み板をシリンダー容器内のピストン板に対し、シリンダー容器内部の壁面に摺動するように位置を合わせたピストン板操作棒に接続し、ピストン板上面の中心部に空間を設け、２つのピストン板の上面中心部同士をひも状部材でシリンダー容器上端部のひも状部材とピストン板上面中心部が垂直に上昇・下降する位置に設けた滑車軸を通して、片方のピストン板が上死点にあるとき、もう１つのピストン板が下死点になるように接続し、一方が体重によって下降するともう一方がシリンダー容器内部ピストン板上面中心部に設けられた空間によってピストン板操作棒に干渉されずに接続されたひも状部材の連鎖によって上昇する機能をもち、さらには、シリンダー容器下部に吸入口と排出口を設け、各ポンプの吸入口同士を１つの吸入用操作ホースに、各ポンプの排出口同士を１つの排出用操作ホースに合流させ、また、各ポンプの吸入口と排出口に逆流防止弁を設け、ピストン板の上下動に合わせて上昇時は、吸入口のみ逆流防止弁が開き、下降時には排出口のみ逆流防止弁が開く機能をもつことを特徴とする足踏み式ポンプ。
【発明の詳細な説明】
【発明の詳細な説明】
【０００１】
以下は本発明の詳細な説明である。
【技術分野】
【０００２】
本発明は、体重を利用し、液体や気体を移動させる足踏み式ポンプに関するものである。
【背景技術】
【０００３】
従来、滞留している水等の液体、空気等の気体は、電気や燃料等のエネルギーを用いたポンプ装置等で圧力を加え、ホース等で移動させていた。
また、人力を利用したポンプ装置は、吸入か排出どちらか一方に限ってのものがあった。
人力を利用したポンプ装置は、一般には自転車の空気入れや足踏みのジャバラ式の空気入れ等が知られている。
なお、足踏み式ポンプとしては、片足で一枚の板を、軸を中心としてシーソーのように動かし、板の下部にある２つのポンプを交互に連動させて、空気を移動させるものなどがある。
【先行技術文献】
【特許文献】
【０００４】
【特許文献１】特開２００９−２８７５３５号公報
【発明の概要】
【発明が解決しようとする課題】
【０００５】
そのため、次のような問題点があった。
（イ）電気式やエンジン式のポンプ装置では、電気や燃料等のエネルギーが不可欠である    ため、電気の届かない屋外、燃料等の供給が困難な地域、とくに、緊急時や災害時の停電や燃料切れに於いては使用できなかった。
（ロ）動力式ポンプ装置は、比較的高価であるため一般家庭等では購入できなかった。
（ハ）動力式ポンプ装置は、電気代や燃料代がかかるので経済的でなかった。
動力式ポンプ装置は、自然や環境への負荷が不可避であった。
（ニ）手押し式や足踏み式のポンプでは一つのポンプを吸入、排出させるため効率が悪かった。
（ホ）手押し式ポンプでは、使用者が多くの体力を消費するので、疲れやすかった。
（ヘ）また、足踏み式ポンプに比べて力が入れづらくより高い圧力を発生させにくかった    。
（ト）手押し式ポンプは、ポンプ本体を足で固定し、両手で押すので、使用者はポンプを 操作する以外の作業は出来ず、ホース等の操作を他者に委ねるしかなかった。
（チ）特開２００９−２８７５３５公報のポンプ装置に於いては、片足で踏むため、全体重をかけにくかった。
また、踏み板が常に水平でないため、バランスを取りづらい
本発明は、以上の問題点を解決するためになされたものである。
【課題を解決するための手段】
【０００６】
本発明の主な特徴は、シリンダー容器とピストン板で構成されるポンプを２つ固定台に並列させ、各ポンプの上に右足と左足を載せる踏み板を設ける。
シリンダー容器内のピストン板部に対し、シリンダー容器内部の壁面に摺動するように位置を合わせたピストン板操作棒を接続し、ピストン板上面の中心部に空間を作り、２つのピストン板上面中心部をひも状部材でシリンダー容器上端部のひも状部材とピストン板上面中心部が垂直に上昇・下降する位置に設けた滑車軸を通して、片方のピストン板が下死点にあるとき、もう一方のピストン板が上死点になるようにつなげ、一方に全体重をかけるともう一方がシリンダー容器内部ピストン板中心部に設けられた空間によってピストン板操作棒に干渉されずに接続されたひも状部材で引き上げられるつるべ式井戸のような構造を特徴とする。
また、シリンダー容器下部には吸入口と排出口を設ける。
各シリンダー容器の吸入口同士と排出口同士を合流させて、吸入口、排出口、それぞれのホースにまとめる構造とする。
また、各シリンダー容器の吸入口、および、排出口に逆流防止用の弁を設ける。
ピストン板の上下動に合わせて、ピストン板の上昇時には、吸入口側の弁が開いて排出口側の弁は閉じ、ピストン板の下降時には、吸入口側の弁が閉じて排出口側の弁が開く設定にする。
以上の構成よりなる足踏み式ポンプ。
【発明の効果】
【０００７】
主に水の移動を例に挙げれば、従来は、水道や原動機付きポンプ等、電気や石油等のエネルギーを使用することによって得られた圧力を利用し、水を移動させる方法が主であった。
また、体重等の人力を利用する場合は、吸水か出水どちらかの作業のみに限られていた。
本発明により、水道がない場所や電源等の確保が困難な場合でも、バケツや浴槽、川や池等の滞留した水を体重という、だれでも最大の力を出せるエネルギーにより水道の蛇口から出る水のように利用できる。
また、本発明により、水に限らず石油等の液体、空気等の気体に於いても同様の効果が期待できる。
また、従来の手押し式ポンプや板を片足で踏むポンプに比べてポンプを安定して踏めるため、両手が自由になり、踏みながら吸入、あるいは、排出用のホースを操作できる。
また、家庭用に於いては、風呂の残り湯を洗濯機に入れたり、屋外に溜まった雨水等を、掃除、洗車、ガーデニング、打ち水等に有効利用できるため、節水の効果も期待できる。
また、体重をエネルギーとして利用しているので、より体重の重い人が使用すればより水圧が上がる。
体重を気にしている人には作業をしながらダイエット効果も期待できる。
また、電気や燃料等のエネルギーを必要としないので、緊急時や災害時においては、排水作業や有毒ガス等の排出、要救助者に対する空気の供給等にも有効である。
また、手動式ポンプに比べても長時間の作業に於いては、最も疲労の少ない動作で効率よく作業ができるため、要救助者の生命の危険を軽減でき、災害復旧まで被災者の疲労も軽減できる。
また、水道のように勢いよく水を放出させることができるため、屋外でのバーベキューやたき火等の消火や、それらを原因とする火災の消火活動も、バケツの水を近づけて火にかけるよりも、安全かつ効果的に消火活動ができる。
また、屋外に於いて危険な箇所、たとえば、谷底や崖下等からの水汲み作業も、水源にホースを下ろすだけで、安全かつ、効果的に水汲み作業ができ、簡易的な井戸としても効果を期待できる。
また、従来の様に水を使用したい場所までホースを引く必要がなく、作業場の安全確保や作業効率の向上等の効果も期待できる。
また、電気や燃料等のエネルギーを使用しないため、電気代や燃料代がかからず経済的である。
また、電気や燃料等のエネルギーを使用しないため、自然や環境への影響がなくなる。
また、モーターやエンジン等の発動機を必要としないため、構造を簡素化でき、軽量化されるため、持ち運びも容易になり、さらには、発動機式のポンプに比べて安価に製造、販売ができる。
また、農業、水産業、工業、土木業、建設業等の諸産業に於いても、製造コストの安さと、体重のみのエネルギー使用という経済性、さらには、自然、環境への負荷の軽減性から、様々な状況に関しての応用性と発展性が期待される。
【図面の簡単な説明】
【０００８】
【図１】本発明の正面図（排出口側）である。
【図２】本発明の背面図（吸入口側）である。
【図３】本発明の側面図である。
【図４】本発明の上面図である。
【発明を実施するための形態】
【０００９】
以下、本発明の実施の形態について説明する。
（イ）ポンプ固定台（１）の上面にシリンダー容器（２）とピストン板（３）からなるポンプ を２つ並列させ、固定する。
（ロ）各ピストン板（３）の上面部からシリンダー容器（２）の内壁に摺動するように位置を合わせたピストン板操作棒（４）を設ける。
（ハ）ピストン板操作棒（４）はシリンダー容器（２）の内壁に接し、かつ、ピストン板（３）の中央部上面に空間ができるような大きさで設ける。
（ニ）ピストン板操作棒（４）はピストン板（３）の上下動の際にピストン板（３）が常 に水平に保たれるようにブレ防止のガイドの役割を担う。
（ホ）各ピストン板操作棒（４）の上端部に水平に、人間の足で踏みやすい大きさの長方 形等の足踏み板（５）を設ける。
（ヘ）各ポンプのピストン板（３）の上面中央部をひも状部材（６）で接続する。
（ト）ひも状部材（６）は片方のポンプのピストン板（３）が下死点にあるとき、もう一方のポンプのピストン板（３）が上死点にある長さに設ける。
（チ）ひも状部材（６）は各シリンダー容器（２）上端部のひも状部材（６）が垂直にピストン板（３）の上面中心部に上昇、下降し、足踏み板（５）の長手方向と同方向 に取り付けた滑車軸（７）を通して２つのピストン板（３）を接続する。
（ニ）各シリンダー容器（２）下部壁面に滑車軸（７）の各端部と同方向にポンプ吸入口（８）、及び、ポンプ排出口（９）を設ける。
（ヌ）各シリンダー容器（２）内下部にはピストン板（３）の下死点がポンプ吸入口（８ ）、及び、ポンプ排出口（９）より下にならないようにストッパー（１０）を設ける    。
（ル）各ポンプ吸入口（８）、及び、排出口（９）には逆流防止弁（１１）を設ける。
（ヲ）逆流防止弁（１１）はピストン板（３）上昇時にはポンプ排出口（９）の逆流防止弁（１１）が閉まり、ピストン板（３）下降時には、ポンプ吸入口（８）の逆流防止弁（１１）が閉まる設定にする。
（ワ）各ポンプ吸入口（８）を１つの吸入口（１２）に合流させる。
（カ）同様に各ポンプ排出口（９）を１つの排出口（１３）に合流させる。
（ヨ）合流させた吸入口（１２）には吸入用操作ホース（１４）を取り付ける。
（タ）同様に合流させた排出口（１３）には排出用操作ホース（１５）を取り付ける。
本発明は以上のような構造である
本発明の使用例をとくに水の移動方法をもって説明する。
本発明品を床や地面等の安定した場所に置き、吸入用操作ホース（１４）先端部を吸入したい水源（バケツ、浴槽、川や池等）に入れ、排出用操作ホース（１５）を手で持ち水を移動させたい方向に向け、各ポンプの踏み板（５）に片足ずつ乗り、片方のポンプ（以下、ポンプＡと表記する。）の踏み板（５）に全体重をかける。
その作用により、体重をかけたポンプＡのピストン板（３）が下がり、滑車軸（７）を通したひも状部材（６）を介して、もう一方のポンプ（以下、ポンプＢと表記する。）のピストン板（３）が引き上げられ、シリンダー容器（２）内の気圧が下がり、逆流防止弁（１１）の作用により、ポンプ吸入口（８）の逆流防止弁（１１）のみが開き、ポンプ排出口（９）の逆流防止弁（１１）は閉じた状態で、吸入用操作ホース（１４）から水が吸入され、ポンプＢのシリンダー容器（２）内に水が充満される。
次に引き上げられた側のポンプＢの踏み板（５）に全体重をかけることにより、各逆流防止弁（１１）の作用により排出用操作ホース（１５）に水が圧送される。
その際、最初に体重をかけたポンプＡのピストン板（３）が引き上げられ、上記の作用により、ポンプＡのシリンダー容器（２）に水が充満される。
以上の動作を繰り返すことにより常に吸入用操作ホース（１４）に水が吸入され、排出用操作ホース（１５）から水が排出される。
また、体重をかけるバランスを調整することにより、吸入、排出させる水勢をコントロールすることができる。
上記は使用の一例として、水を挙げたものであり、空気等の気体、水以外の石油、薬品等の液体に於いても同じような効果が得られる。
【符号の説明】
【００１０】
１  ポンプ固定台
２  シリンダー容器
３  ピストン板
４  ピストン板操作棒
５  踏み板
６  ひも状部材
７  滑車軸
８  ポンプ吸入口
９  ポンプ排出口
１０  ストッパー
１１  逆流防止弁
１２  吸入口
１３  排出口
１４  吸入用操作ホース
１５  排出用操作ホース
【図１】
0006559422.tif 000002
【図２】
0006559422.tif 000003
【図３】
0006559422.tif 000004
【図４】
0006559422.tif 000005